(57)【要約】【課題】遊技領域および演出領域を見易くすることができる遊技機を提供する。【解決手段】遊技領域Ｅ１と演出領域Ｅ２とが前面枠体５０１の前方の一点に向くようにリール装置５０３と液晶表示装置５０４とを前面枠体５０１に配設しているので、遊技者からは遊技領域Ｅ１と演出領域Ｅ２とが見易くなっている。つまり、遊技領域Ｅ１と演出領域Ｅ２とが前面枠体５０１の前方の一点に向けられているので、遊技者の視線方向と各領域面（遊技領域面と演出領域面）の垂線方向とのなす角（ずれ角）が小さいあるいは無く、遊技者が各領域面を見た場合に、遊技領域Ｅ１や演出領域Ｅ２が見易く、これらの領域に対して違和感を受けることがない。その結果、遊技領域Ｅ１および演出領域Ｅ２を見易くすることができる遊技機を提供することができる。【選択図】図１７
2015083203.tif 000002
【特許請求の範囲】
【請求項１】
遊技媒体を用いて遊技者に遊技を提供する遊技機において、
複数の図柄が表示されたリールを回動・停止する回動リール装置と、
表示画面に遊技演出を表示する画像表示装置と、
前記回動リール装置と前記画像表示装置とが配設されるベース体と、
を備え、
前記ベース体は、その前面側に、前記回動リール装置でのリール部分を視認させるための遊技領域と、前記画像表示装置の表示画面に表示される遊技演出を視認させるための演出領域とを備え、かつ、前記回動リール装置と前記画像表示装置との少なくとも一方を側面視で傾斜姿勢に配設しており、
前記ベース体の前面側には、前記遊技領域および前記演出領域以外の所定領域を覆う部材であって、前記傾斜姿勢に沿うように変形自在な薄板状のカバー部材が備えられ、
前記カバー部材は、前記ベース体の前面側に取り付けられる装飾部品と当該ベース体との間に挟まれた状態で、前記傾斜姿勢に沿って保持されており、
前記ベース体は、その前面側に、前記カバー部材の裏面側における前記遊技領域周縁の所定箇所を支持する第１支持枠と、前記カバー部材の裏面側における前記演出領域周縁の所定箇所を支持する第２支持枠と、を備え、前記第１支持枠と前記第２支持枠との少なくとも一方を側面視で傾斜姿勢に配設しており、
前記装飾部品は、前記第１支持枠に取り付けられた状態で前記遊技領域周縁の所定箇所を縁取る第１枠部品と、前記第２支持枠に取り付けられた状態で前記演出領域周縁の所定箇所を縁取る第２枠部品と、を備え、
前記カバー部材は、当該カバー部材の裏面側における前記遊技領域周縁の所定箇所が前記第１支持枠と前記第１枠部品との間に挟まれ、且つ、当該カバー部材の裏面側における前記演出領域周縁の所定箇所が前記第２支持枠と前記第２枠部品との間に挟まれた状態で、前記傾斜姿勢に沿って保持される
ことを特徴とする遊技機。
【発明の詳細な説明】
【技術分野】
【０００１】
この発明は、遊技球を使用するパチンコ機、メダルまたは遊技球使用の回胴遊技機などの各種の遊技機に関する。
【背景技術】
【０００２】
従来、遊技機の代表例として例えば、メダル使用のスロットマシンや、メダルに替えて遊技球を使用する回胴遊技機などがある。
【０００３】
この遊技球使用の回胴遊技機は、例えば、当該スロットマシンの外殻を形成し遊技場（ホール）の遊技島に固定される箱型の筐体と、この筐体の正面視での左端側を開閉軸として当該筐体に対して開閉可能に支持された前面扉と、遊技者に大当たりの有無を知らせるための各種の図柄が表示されたリールを回動・停止する回動リール装置などを備えている。この前面扉には、正面視した状態で、回動リール装置のリール部分を視認させるための比較的大きな遊技領域と、画像表示装置（例えば、液晶表示装置）の表示画面に表示される遊技演出を視認させるための演出領域と、を備えている（例えば、特許文献１参照）。
【先行技術文献】
【特許文献】
【０００４】
特開２００５−１７６８９９号公報（第６頁，第１，５図）
【発明の概要】
【発明が解決しようとする課題】
【０００５】
しかしながら、このような構成を有する従来例の場合には、次のような問題がある。
【０００６】
すなわち、従来の遊技球使用の回胴遊技機では、例えば、興趣性の向上を図る観点から画像表示装置の大型化が進み、より大画面で遊技演出を表示させることが行われつつあり、前面扉には、前述した比較的大きな遊技領域（リール部分を視認させるための領域）と、大型化が進む演出領域（画像表示装置に表示される遊技演出を視認させるための領域）とが同一方向に向けて配設されているが、この遊技領域や演出領域が見辛いという問題がある。
【０００７】
本発明は、このような事情に鑑みてなされたものであって、遊技領域および演出領域を見易くすることができる遊技機を提供することを目的とする。
【課題を解決するための手段】
【０００８】
この発明は、このような目的を達成するために、次のような構成をとる。
【０００９】
すなわち、請求項１に記載の発明は、
遊技媒体を用いて遊技者に遊技を提供する遊技機において、
複数の図柄が表示されたリールを回動・停止する回動リール装置と、
表示画面に遊技演出を表示する画像表示装置と、
前記回動リール装置と前記画像表示装置とが配設されるベース体と、
を備え、
前記ベース体は、その前面側に、前記回動リール装置でのリール部分を視認させるための遊技領域と、前記画像表示装置の表示画面に表示される遊技演出を視認させるための演出領域とを備え、かつ、前記回動リール装置と前記画像表示装置との少なくとも一方を側面視で傾斜姿勢に配設しており、
前記ベース体の前面側には、前記遊技領域および前記演出領域以外の所定領域を覆う部材であって、前記傾斜姿勢に沿うように変形自在な薄板状のカバー部材が備えられ、
前記カバー部材は、前記ベース体の前面側に取り付けられる装飾部品と当該ベース体との間に挟まれた状態で、前記傾斜姿勢に沿って保持されており、
前記ベース体は、その前面側に、前記カバー部材の裏面側における前記遊技領域周縁の所定箇所を支持する第１支持枠と、前記カバー部材の裏面側における前記演出領域周縁の所定箇所を支持する第２支持枠と、を備え、前記第１支持枠と前記第２支持枠との少なくとも一方を側面視で傾斜姿勢に配設しており、
前記装飾部品は、前記第１支持枠に取り付けられた状態で前記遊技領域周縁の所定箇所を縁取る第１枠部品と、前記第２支持枠に取り付けられた状態で前記演出領域周縁の所定箇所を縁取る第２枠部品と、を備え、
前記カバー部材は、当該カバー部材の裏面側における前記遊技領域周縁の所定箇所が前記第１支持枠と前記第１枠部品との間に挟まれ、且つ、当該カバー部材の裏面側における前記演出領域周縁の所定箇所が前記第２支持枠と前記第２枠部品との間に挟まれた状態で、前記傾斜姿勢に沿って保持される
ことを特徴とするものである。
【発明の効果】
【００１０】
この発明に係る遊技機によれば、遊技領域および演出領域を見易くすることができる遊技機を提供することができる。
【図面の簡単な説明】
【００１１】
【図１】本発明の一実施の形態における遊技機の全体を示す斜視図である。
【図２】遊技機の正面図である。
【図３】遊技機の内部開放状態を示す斜視図である。
【図４】遊技機の内部開放状態を示す斜視図である。
【図５】遊技機の背面図である。
【図６】（ａ）は遊技機本体部を背面側から見た図、（ｂ），（ｃ）はドアブロックに対する遊技盤ブロックと払出ブロックの開放動作状況を示す図である。
【図７】ドアブロックを前方から見た分解斜視図である。
【図８】ドアブロックを後方から見た分解斜視図である。
【図９】ドアブロックを構成する前扉体と背面枠とを分離してそれらを前方から見た斜視図である。
【図１０】ドアブロックを構成する前扉体と背面枠とを分離してそれらを後方から見た斜視図である。
【図１１】受皿ブロックの斜視図である。
【図１２】遊技盤ブロックの後方斜視図である。
【図１３】遊技盤ブロックの分解斜視図である。
【図１４】前面枠体およびベース板とリール装置との斜視図である。
【図１５】払出ブロックの斜視図である。
【図１６】払出ブロックの背面図である。
【図１７】遊技盤ブロックの前方斜視図である。
【図１８】遊技盤ブロックの前面側のシート体などを分解した状態の斜視図である。
【図１９】遊技盤ブロックを構成する前面枠体の正面図である。
【図２０】（ａ）、（ｂ）は、順に図１９での前面枠体のＡ−Ａ線、Ｂ−Ｂ線断面図である。
【図２１】前面枠体の前面側構成品の分解斜視図である。
【図２２】前面枠体に演出領域用フレームを取り付ける様子を示す図およびその要部拡大図である。
【図２３】前面枠体の前方斜視図およびその要部拡大図である。
【図２４】前面枠体の前面側構成品の分解斜視図およびその要部拡大図である。
【図２５】前面枠体に遊技領域用フレームを取り付ける様子を示す図およびその要部拡大図である。
【図２６】前面枠体での遊技領域用フレームの取り付け部分の拡大図である。
【図２７】シート体が演出領域用フレームで前面枠体に固定される様子を示す図である。
【図２８】シート体が遊技領域用フレームで前面枠体に固定される様子を示す図である。
【図２９】図１９での前面枠体のＣ−Ｃ線断面図である。
【発明を実施するための形態】
【００１２】
本明細書は、次のような遊技機に係る発明も開示している。
（０）  遊技媒体を用いて遊技者に遊技を提供する遊技機において、
複数の図柄が表示されたリールを回動・停止する回動リール装置と、
表示画面に遊技演出を表示する画像表示装置と、
前記回動リール装置と前記画像表示装置とが配設されるベース体と、
を備え、
前記ベース体は、その前面側に、前記回動リール装置でのリール部分を視認させるための遊技領域と、前記画像表示装置の表示画面に表示される遊技演出を視認させるための演出領域とを備え、かつ、前記ベース体での前記遊技領域と前記演出領域との間の位置から当該ベース体の前方に離れた一点に前記遊技領域と前記演出領域とが向くように前記回動リール装置と前記画像表示装置との少なくとも一方を側面視で傾斜姿勢に配設している
ことを特徴とする遊技機。
前記（０）に記載の発明によれば、遊技媒体を用いて遊技者に遊技を提供する遊技機は、ベース体に回動リール装置と画像表示装置とが配設されている。回動リール装置は、複数の図柄が表示されたリールを回動・停止する。画像表示装置は、表示画面に遊技演出を表示する。ベース体は、その前面側に、回動リール装置でのリール部分を視認させるための遊技領域と、画像表示装置の表示画面に表示される遊技演出を視認させるための演出領域とを備え、かつ、ベース体での遊技領域と演出領域との間の位置から当該ベース体の前方に離れた一点に遊技領域と演出領域とが向くように回動リール装置と画像表示装置との少なくとも一方を側面視で傾斜姿勢に配設している。
したがって、遊技領域と演出領域とがベース体の前方の一点に向くように回動リール装置と画像表示装置とをベース体に配設しているので、遊技者からは遊技領域と演出領域とが見易くなっている。つまり、従来例では、遊技領域と演出領域とが同一方向を向いており、遊技者の視線方向と各領域面（遊技領域面と演出領域面）の垂線方向とのなす角（ずれ角）が大きく、遊技者が各領域面を見た場合に、遊技領域と演出領域との少なくとも一方に対して見辛いことや違和感を受けることがあった。これに対して、本発明では、遊技領域と演出領域とがベース体の前方の一点に向けられているので、遊技者の視線方向と各領域面（遊技領域面と演出領域面）の垂線方向とのなす角（ずれ角）が小さいあるいは無く、遊技者が各領域面を見た場合に、遊技領域や演出領域が見易く、これらの領域に対して違和感を受けることがない。
その結果、遊技領域および演出領域を見易くすることができる遊技機を提供することができる。
前記（０）に係る遊技機によれば、遊技領域と演出領域とがベース体の前方の一点に向くように回動リール装置と画像表示装置とをベース体に配設しているので、遊技者からは遊技領域と演出領域とが見易くなっている。つまり、従来例では、遊技領域と演出領域とが同一方向を向いており、遊技者の視線方向と各領域面（遊技領域面と演出領域面）の垂線方向とのなす角（ずれ角）が大きく、遊技者が各領域面を見た場合に、遊技領域と演出領域との少なくとも一方に対して見辛いことや違和感を受けることがあった。これに対して、本発明では、遊技領域と演出領域とがベース体の前方の一点に向けられているので、遊技者の視線方向と各領域面（遊技領域面と演出領域面）の垂線方向とのなす角（ずれ角）が小さいあるいは無く、遊技者が各領域面を見た場合に、遊技領域や演出領域が見易く、これらの領域に対して違和感を受けることがない。その結果、遊技領域および演出領域を見易くすることができる遊技機を提供することができる。
【００１３】
（１）  前記（０）に記載の遊技機において、
前記ベース体は、その前面側で、前記遊技領域および前記演出領域以外の所定領域を覆う薄板状のカバー部材を備え、前記ベース体の前面側に取り付けられる装飾部品によって前記カバー部材が当該ベース体の前面側に固定されることを特徴とする遊技機。
【００１４】
前記（１）に記載の発明によれば、ベース体は、その前面側で、遊技領域および演出領域以外の所定領域を覆う薄板状のカバー部材を備え、ベース体の前面側に取り付けられる装飾部品によってカバー部材がベース体の前面側に固定されるので、カバー部材を固定するための専用固定部品（ネジや止めピンなど）を不要とすることができ、その専用固定部品が少なくなった分だけ部品点数を少なくできる。
【００１５】
（２）  前記（１）に記載の遊技機において、
前記ベース体は、その前面側を窪んだ湾曲形状またはくの字形状としていることを特徴とする遊技機。
【００１６】
前記（２）に記載の発明によれば、ベース体は、その前面側を窪んだ湾曲形状またはくの字形状としているので、装飾部品によってカバー部材をベース体の前面側に固定することで、このカバー部材がベース体の湾曲面またはくの字面に沿うようにして変形して固定でき、カバー部材を予め湾曲形状またはくの字形状に成形加工する必要がないし、薄板状のカバー部材を使用しているので、そのもの自体に印刷等の装飾ができ、カバー部材を熱処理して湾曲形状またはくの字形状に変形加工する場合にその印刷面が変化するが、このような熱処理を行わないので印刷面の変化がおきない。
【００１７】
（３）  前記（１）または（２）に記載の遊技機において、
前記カバー部材は、その裏面側で外縁部分の所定箇所に当り代部を備え、
前記ベース体は、その前面側で、前記カバー部材の前記当り代部に対応する箇所に形成されて当該当り代部に当接支持する外縁支持部を備えている
ことを特徴とする遊技機。
【００１８】
前記（３）に記載の発明によれば、カバー部材の裏面側での外縁部分の所定箇所である当り代部が、ベース体の前面側での外縁支持部に当接して支持されるので、カバー部材の外縁がベース体に沈み込んだ状態とならず、好適に支持される。
【００１９】
（４）  前記（１）から（３）のいずれか一つに記載の遊技機において、
前記ベース体は、その正面視で上から順に前記画像表示装置と前記回動リール装置とが配設されており、前記遊技領域は、その垂線方向と前記一点から見下ろした方向とが一致するように配設されている
ことを特徴とする遊技機。
【００２０】
前記（４）に記載の発明によれば、ベース体は、その正面視で上から順に画像表示装置と回動リール装置とが配設されており、遊技領域は、その垂線方向と、前記一点から見下ろした方向とが一致するように配設されているので、遊技者の見下ろす方向に遊技領域が配設されており、遊技者に負担にならずに遊技領域を見ることができる。
【００２１】
（５）  前記（１）から（４）のいずれか一つに記載の遊技機において、
前記カバー部材は、前記遊技領域および前記演出領域に対応する箇所が除去された薄板状の部材であり、
前記装飾部品は、遊技領域の周囲を縁取る遊技領域用枠部品と、演出領域の周囲を縁取る演出領域用枠部品とである
ことを特徴とする遊技機。
【００２２】
前記（５）に記載の発明によれば、カバー部材は、遊技領域および演出領域に対応する箇所が除去された薄板状の部材である。装飾部品は、遊技領域の周囲を縁取る遊技領域用枠部品と、演出領域の周囲を縁取る演出領域用枠部品とである。したがって、遊技領域用枠部品によって遊技領域の周囲を縁取る装飾を実現できるとともに、カバー部材の遊技領域に対応する除去箇所の周囲を遊技領域用枠部品によって固定することができ、演出領域用枠部品によって演出領域の周囲を縁取る装飾を実現できるとともに、カバー部材の演出領域に対応する除去箇所の周囲を演出領域用枠部品によって固定することができる。
【００２３】
（６）  前記（５）に記載の遊技機において、
前記カバー部材は、前記遊技領域に対応する箇所が除去された遊技領域用除去箇所と、前記演出領域に対応する箇所が除去された演出領域用除去箇所とを備えた薄板状の部材であり、前記遊技領域用除去箇所の周縁部分の所定箇所と前記演出領域用除去箇所の周縁部分の所定箇所とに挟み代部を備え、
前記ベース体は、その前面側で、前記カバー部材の前記挟み代部に対応する箇所に形成されて当該挟み代部に当接支持する周縁支持部を備え、
前記遊技領域用枠部品および前記演出領域用枠部品は、前記周縁支持部とで前記カバー部材の前記挟み代部を挟むことで当該カバー部材を固定している
ことを特徴とする遊技機。
【００２４】
前記（６）に記載の発明によれば、カバー部材は、遊技領域に対応する箇所が除去された遊技領域用除去箇所と、演出領域に対応する箇所が除去された演出領域用除去箇所とを備えた薄板状の部材であり、遊技領域用除去箇所の周縁部分の所定箇所と演出領域用除去箇所の周縁部分の所定箇所とに挟み代部を備えている。ベース体は、その前面側で、カバー部材の挟み代部に対応する箇所に形成されて当該挟み代部に当接支持する周縁支持部を備えている。遊技領域用枠部品および演出領域用枠部品は、周縁支持部とでカバー部材の挟み代部を挟むことでこのカバー部材を固定している。したがって、カバー部材の遊技領域用除去箇所や演出領域用除去箇所を遊技領域用枠部品および演出領域用枠部品とベース体の周縁支持部とで挟んで支持することができ、カバー部材の中央部分をベース体の方にしっかりと固定できる。また、機種変更が生じた場合には、遊技領域用枠部品および演出領域用枠部品を取り外すことで、カバー部材の挟み固定が解除されるので、カバー部材を容易に取り外すことができるし、新たな機種用に印刷等されたカバー部材を遊技領域用枠部品および演出領域用枠部品とベース体とで挟んで支持することができ、カバー部材を交換するだけで機種変更にも対応できる。
【００２５】
（７）  前記（６）に記載の遊技機において、
前記カバー部材は、前記演出領域用除去箇所の周縁箇所の所定箇所に切欠き部を備え、
前記演出領域用枠部品は、前記切欠き部に位置させる突起部を備えている
ことを特徴とする遊技機。
【００２６】
前記（７）に記載の発明によれば、カバー部材は、演出領域用除去箇所の周縁箇所の所定箇所に切欠き部を備えている。演出領域用枠部品は、切欠き部に位置させる突起部を備えている。したがって、カバー部材の演出領域用除去箇所を演出領域用枠部品とベース体の周縁支持部とで挟んで支持した状態で、カバー部材での演出領域用除去箇所の周縁箇所の切欠き部に、演出領域用枠部品の突起部が位置しており、カバー部材のベース体に対する取り付け位置を目的位置に規制でき、カバー部材のベース体への固定後もカバー部材がずれ落ちるなどの取り付け後の位置ずれを低減できる。
【００２７】
（８）  前記（６）に記載の遊技機において、
前記カバー部材は、前記遊技領域用除去箇所の周縁箇所の所定箇所に切欠き部を備え、
前記遊技領域用枠部品は、前記切欠き部に位置させる突起部を備えている
ことを特徴とする遊技機。
【００２８】
前記（８）に記載の発明によれば、カバー部材は、遊技領域用除去箇所の周縁箇所の所定箇所に切欠き部を備えている。遊技領域用枠部品は、切欠き部に位置させる突起部を備えている。したがって、カバー部材の遊技領域用除去箇所を遊技領域用枠部品とベース体の周縁支持部とで挟んで支持した状態で、カバー部材での遊技領域用除去箇所の周縁箇所の切欠き部に、遊技領域用枠部品の突起部が位置しており、カバー部材のベース体に対する取り付け位置を目的位置に規制でき、カバー部材のベース体への固定後もカバー部材がずれ落ちるなどの取り付け後の位置ずれを低減できる。
【００２９】
（９）  前記（６）から（８）のいずれか一つに記載の遊技機において、
前記遊技領域用枠部品は、その上辺側の所定箇所に、前記ベース体の所定箇所に片掛けする片掛け爪部を備えている
ことを特徴とする遊技機。
【００３０】
前記（９）に記載の発明によれば、遊技領域用枠部品は、その上辺側の所定箇所に、ベース体の所定箇所に片掛けする片掛け爪部を備えているので、遊技領域用枠部品の片掛け爪部をベース体の所定箇所に片掛けした状態とすることで、この遊技領域用枠部品がベース体の前方方向へ倒れることを低減でき、取り付け作業性を向上させることができる。
【００３１】
（１０）  前記（６）から（８）のいずれか一つに記載の遊技機において、
前記演出領域用枠部品は、その上辺側の所定箇所に、前記ベース体の所定箇所に片掛けする片掛け爪部を備えている
ことを特徴とする遊技機。
【００３２】
前記（１０）に記載の発明によれば、演出領域用枠部品は、その上辺側の所定箇所に、ベース体の所定箇所に片掛けする片掛け爪部を備えているので、演出領域用枠部品の片掛け爪部をベース体の所定箇所に片掛けした状態とすることで、この演出領域用枠部品がベース体の前方方向へ倒れることを低減でき、取り付け作業性を向上させることができる。
【００３３】
（１１）  前記（０）に記載の遊技機、または、前記（１）から（１０）のいずれか一つに記載の遊技機において、
前記遊技機はパチンコ機であることを特徴とする遊技機。
【００３４】
前記（１１）に記載の遊技機によれば、遊技領域および演出領域を見易くすることができるパチンコ機を提供できる。なお、パチンコ機の基本構成としては操作ハンドルを備え、その操作ハンドルの操作に応じて遊技用媒体としての球を所定の遊技領域に発射し、球が遊技領域内の所定の位置に配設された作動口に入賞（または作動ゲートを通過）することを必要条件として、表示装置において動的表示されている識別情報（図柄等）が所定時間後に確定停止されるものが挙げられる。また、特別遊技状態の発生時には、遊技領域内の所定の位置に配設された可変入賞手段（特定入賞口）が所定の態様で開放されて球を入賞可能とし、その入賞個数に応じた有価価値（景品球のみならず、磁気カードへ書き込まれるデータ等も含む）が付与されるものが挙げられる。
【００３５】
（１２）  前記（０）に記載の遊技機、または、前記（１）から（１０）のいずれか一つに記載の遊技機において、
前記遊技機はスロットマシンであることを特徴とする遊技機。
【００３６】
前記（１２）に記載の遊技機によれば、遊技領域および演出領域を見易くすることができるスロットマシンを提供できる。なお、スロットマシンの基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（例えばストップボタン）の操作に起因して、あるいは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。この場合、遊技用媒体はコイン、メダル等が代表例として挙げられる。
【００３７】
（１３）  前記（０）に記載の遊技機、または、前記（１）から（１０）のいずれか一つに記載の遊技機において、
前記遊技機はパチンコ機とスロットマシンとを融合させたものであることを特徴とする遊技機。
【００３８】
前記（１３）に記載の遊技機によれば、遊技領域および演出領域を見易くすることができる、パチンコ機とスロットマシンとを融合させたものを提供できる。なお、この融合させたものの基本構成としては、「複数の識別情報からなる識別情報列を動的表示した後に識別情報を確定表示する識別情報変動表示手段を備え、始動用操作手段（例えば操作レバー）の操作に起因して識別情報の動的表示が開始され、停止用操作手段（例えばストップボタン）の操作に起因して、あるいは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技用媒体として球を使用するとともに、前記識別情報の動的表示の開始に際しては所定数の球を必要とし、特別遊技状態の発生に際しては多くの球が払い出されるように構成されている遊技機」となる。
【００３９】
（１４）  前記（０）に記載の遊技機、または、前記（１）から（１０）のいずれか一つに記載の遊技機において、
前記遊技機は、遊技者による始動操作に基づいて、複数の図柄を外周面に付した回転体の回転を開始させることで図柄の可変表示を開始し、前記回転体の回転停止時の図柄表示態様が所定の表示態様である場合に遊技球の払い出しが行われることを特徴とする遊技球使用の回胴遊技機。
【００４０】
前記（１４）に記載の遊技機によれば、遊技領域および演出領域を見易くすることができる、遊技球使用の回胴遊技機を提供できる。
【００４１】
以下に、本発明の遊技機（例えば、遊技球を遊技媒体として用いて遊技を行う、遊技球使用回胴遊技機）の実施の形態を、図面に基づいて詳細に説明する。
【００４２】
実施例の遊技機を、図面に基づいて詳細に説明する。実施例の遊技機１は、遊技に際して所定数の遊技媒体（遊技価値）としての遊技球（例えばパチンコ機と同様の遊技球：パチンコ球）の取込を必要とし、所定条件が成立した場合には複数の遊技球、場合によっては大量の遊技球が払い出されるよう構成されている遊技球使用の回胴遊技機である。本遊技機１には、遊技ホール等においてパチンコ機と共通の遊技球供給システムから遊技球の供給がなされるようになっており、パチンコ機が設置される既存の島設備（パチンコ島）に本遊技機を設置することが可能となっている。つまり、上記のパチンコ機用の島設備を特段に変更することなく、当該島設備に設置されていたパチンコ機に替えて、本遊技機１（遊技球使用の回胴遊技機）を設置することができる。
【００４３】
まず、遊技機１の外観構成及び内部構造の概略を説明する。ここで、図１は遊技機１の全体を示す斜視図、図２は遊技機１の正面図、図３は及び図４は遊技機１の内部開放状態を示す斜視図、図５は遊技機１の背面図である。なお以下の説明においては、特に注記しない限りは、遊技機１の正面から見た状態を基準として左右上下などの方向を記載することとする。
【００４４】
遊技機１は、図１，３に示すように、本体枠としての外枠２と、この外枠２に対して前方に片開き可能に取り付けられた遊技機本体部３とを有する。
【００４５】
外枠２は、図１〜３に示すように、木製の板材を四辺に連結し構成されるものであって、全体として矩形状をなしている。本遊技機１を遊技ホールに設置する際には、外枠２が島設備に取り付け固定される。なお、外枠２を合成樹脂やアルミニウム等の金属によって構成することも可能である。図３等では隠れて図示されていないが、外枠２を構成する四辺の板材のうち右辺の板材には、その内側上下２箇所に、後述するドアブロック４に設けた施錠装置１２０（鉤金具１２３等を備える）を係止するための鉤受け部２ａ（図３参照）が設けられている。
【００４６】
遊技機本体部３は、図４に示すように、扉体ユニットであるドアブロック４と、このドアブロック４の背面側に設けられた遊技主要ブロック５とに大別される。以下に、ドアブロック４と遊技主要ブロック５とをその順に説明する。
【００４７】
図４に示すように、ドアブロック４には上下２箇所にヒンジ金具８が設けられており、このヒンジ金具８と外枠２側の上下２箇所の支持金具９とにより、ドアブロック４（遊技機本体部３）が外枠２に対して開閉可能に支持されている。この場合、遊技機１を正面から見て左側に開閉軸線が設けられる構成となっており、遊技機本体部３は正面から見て右側を開閉先端部として開放される。外枠２に対して遊技機本体部３が閉じた状態では、ドアブロック４の外周縁部の背面が外枠２の前面に当接するようになっている。
【００４８】
また、図４に示すように、ドアブロック４は、その背面側下部に、球受皿ユニットである受皿ブロック１０が着脱可能に取り付けられている。
【００４９】
続いて、遊技主要ブロック５について説明する。この遊技主要ブロック５は、図４に示すように、絵柄表示ユニットである遊技盤ブロック６と、遊技球の払出ユニットである払出ブロック７とから構成されている。
【００５０】
具体的には、遊技盤ブロック６は、図４に示すように、ドアブロック４の背面側において受皿ブロック１０の上方で片開き自在に取り付けられ、更に遊技盤ブロック６の背面側を覆うようにして払出ブロック７が取り付けられている。この遊技盤ブロック６と払出ブロック７とは、ドアブロック４の一端側（背面視で右端側）を開閉軸としてそれぞれ片開き自在に支持されている。つまり、遊技主要ブロック５（遊技盤ブロック６と払出ブロック７とからなる）は、外枠２に対してドアブロック４と一体で片開き自在となるとともに、ドアブロック４に対して遊技盤ブロック６と払出ブロック７とが各々個別に片開き自在となる構造を有する。
【００５１】
また、図３，図５に示すように、払出ブロック７は、その背面側下部に、払出制御装置１５７と電源装置１５６とが当該背面視で左から順に横並びに取り付けられている。
【００５２】
詳しくは、電源装置１５６は、電源基板（図示省略）と、この電源基板を収容する基板ボックス１５６ａとを備えている。この基板ボックス１５６ａは、例えば合成樹脂材料にて成形されており、特に内部（電源基板）を視認可能とすべく透明ボックスとされている。
【００５３】
また、払出制御装置１５７は、払出制御基板（図示省略）と、この払出制御基板を収容する基板ボックス１５７ａとを備えている。この基板ボックス１５７ａは、例えば合成樹脂材料にて成形されており、特に内部（払出制御基板）を視認可能とすべく透明ボックスとされている。
【００５４】
ここで、遊技機本体部３を構成する上記の各部材について相対的な位置関係と動作状態を簡単に説明する。図６は遊技機本体部３を模式的に示す図面であり、図６（ａ）は遊技機本体部３を背面側から見た図、図６（ｂ），（ｃ）はドアブロック４に対する遊技盤ブロック６と払出ブロック７の開放動作状況を示す図である。
【００５５】
図６（ａ）に示すように、ドアブロック４に対して遊技盤ブロック６や払出ブロック７を開放動作させるための軸線ＡＸ１は図の右側（正面から見ると左側）に設けられている。この軸線ＡＸ１は、遊技盤ブロック６を支持するための軸線と払出ブロック７を支持するための軸線とを兼ねるものとなっている。この場合、図示のＭ１，Ｍ２は遊技盤ブロック６を支持するための支持手段であり、Ｍ３，Ｍ４は払出ブロック７を支持するための支持手段である。つまり、遊技盤ブロック６用の支持手段Ｍ１，Ｍ２は同軸で上下一対に設けられている。また、払出ブロック７用の支持手段Ｍ３，Ｍ４は、支持手段Ｍ１，Ｍ２を挟むようにして同軸で上下一対に設けられており、更に支持手段Ｍ１，Ｍ２に対しても同軸となっている。
【００５６】
上記構成により、図６（ｂ），（ｃ）の各動作が可能となっている。図６（ｂ）では、ドアブロック４に対して遊技盤ブロック６と払出ブロック７とを一体的に開放動作させている。また、図６（ｃ）では、図６（ｂ）の状態から遊技盤ブロック６に対して払出ブロック７を開放動作させている。つまり、ドアブロック４に対して遊技盤ブロック６を閉じた状態では、払出ブロック７を遊技盤ブロック６に閉じた状態で止めているレバーにアクセスできないことから、ドアブロック４に対して遊技盤ブロック６を開いた状態にしなければ、払出ブロック７を開放動作できないようになっている。
【００５７】
（ドアブロック４の説明）
次に、ドアブロック４を、図７〜図１１を用いて詳細に説明する。ここで、図７，図８は、ドアブロック４を前方及び後方から見たそれぞれの分解斜視図である。また、図９，図１０は、ドアブロック４を構成する前扉体１１と背面枠１２とを分離してそれらを前方から及び後方から見た斜視図である。図１１は受皿ブロック１０の斜視図である。
【００５８】
ドアブロック４において、前扉体１１は、外枠２とほぼ同等の大きさ（縦寸法及び横寸法）を有し、その背面側に重なるようにして背面枠１２が取り付けられている。背面枠１２は、例えばアルミダイキャストにて成形されており、前扉体１１を補強する役目を有する他、遊技主要ブロック５（遊技盤ブロック６と払出ブロック７とからなる）を支持する役目を有するものである。
【００５９】
（前扉体１１の説明）
前扉体１１は、図１に示すように、後述するリール図柄や液晶図柄等を視認可能とする図柄視認部（視認窓２１）と、遊技に際し遊技者により手動操作される操作部３０と、上皿部１５１で余剰となった遊技球などを貯留するための下皿７１とを備える。
【００６０】
すなわち、図９等に示すように、前扉体１１の上半部には、図柄視認部として略台形状をなす視認窓２１が形成されている。この視認窓２１には、平坦な透明板よりなる透明パネル２２がはめ込まれており、この透明パネル２２を介してその内方が視認可能となっている。透明パネル２２は、後述する液晶表示装置（図１３に示す液晶表示装置５０４）の前面と、後述するリール装置（図１３に示すリール装置５０３）の前面とを覆うものであり、この透明パネル２２を介して液晶表示装置５０４（図１３参照）の表示画像やリール装置５０３（図１３参照）の図柄が視認される。
【００６１】
こうした比較的大型に構成される視認窓２１（透明パネル２２）によれば、大型の液晶表示装置を用いた画像の表示演出によって遊技者に多大なインパクトを与えることが可能になることに加え、本遊技機１の主表示装置たるリール装置５０３（図１３参照）の図柄の視認性が良好なものとなっている。
【００６２】
前扉体１１の周縁部には、視認窓２１を略囲むようにして、中央ランプ部２４と左右一対の側方ランプ部２５とが設けられるとともに、前扉体１１の右上隅部及び左上隅部にスピーカ部２６が設けられている。遊技に際しては、これらランプ部２４，２５やスピーカ部２６により、その都度の遊技状況に応じたランプ演出や音声演出等が行われる。すなわち、ランプ部２４，２５による発光色や発光パターンを適宜変更したり、スピーカ部２６による音声パターンを適宜変質したりすることで、役の成立等が遊技者に告知される。また、このランプ部２４，２５やスピーカ部２６を用いて、エラー告知等を行うことも可能である。
【００６３】
ちなみに、視認窓２１は、前扉体１１の左右幅に対して左右の側方ランプ部２５を除く範囲で設けられており、故に視認窓２１は左右に幅広いものとなっている。また言い加えると、視認窓２１は、後述するリール装置５０３（図１３参照）や液晶表示装置５０４（図１３参照）の横幅よりも幅広となっている。
【００６４】
視認窓２１の下方には、遊技者により操作される各種操作部材等を配備した操作部３０が設けられている。この操作部３０は、全体として横長状をなしかつ僅かに弧状をなす前面板部３１を有し、その前面板部３１には、スタートレバー３３が設けられるとともに、３連ボタンからなるストップスイッチ３５，３６，３７が設けられている。また、前面板部３１の上端部に位置するように、向かって左寄りの位置（概ねスタートレバー３３と左側のストップスイッチ３５との間）にベットスイッチ取付板部３２が形成されており、その取付板部３２にボタン状のベットスイッチ３８が取り付けられている。
【００６５】
ベットスイッチ３８は、遊技者によるベット（賭け数）の設定を行わせるものであり、その押し操作により上皿１５１に貯留された遊技球が所定個数分取り込まれる。本実施の形態では、ベットスイッチ３８として、いわゆるＭＡＸベットスイッチを設けており、有効な１回の押し操作により３ベット相当（１５個分）の遊技球が取り込まれる。ベットスイッチ３８は、投資価値としての遊技球の投入を指令する投入指令手段を構成する。なお、ＭＡＸベットスイッチとしてのベットスイッチ３８の他に、本遊技機１では、視認窓２１（透明パネル２２）と操作部３０との間に、左右方向に延びる長板状のサブパネル部５０が設けられており、このサブパネル部５０に１ベットスイッチ５５を備えている。１ベットスイッチ５５は、１回の押し操作により１ベット相当（５個分）の遊技球を取り込ませるためのベットスイッチである。また、２ベットスイッチを設ける構成としても良い。ちなみに、２ベットスイッチは、１回の押し操作により２ベット相当（１０個分）の遊技球を取り込ませるためのベットスイッチである。なお、これらの１ベットスイッチ５５や２ベットスイッチを備えない構成としてもよい。
【００６６】
スタートレバー３３は、後述するリール装置５０３（図１３参照）の各リール（回転体）を回転開始させるための操作部材であり、各リールを回転開始、すなわち図柄の可変表示を開始させるべく操作される始動操作手段を構成する。
【００６７】
ストップスイッチ３５〜３７は、停止対象となるリール（左、中、右の三列のリール）に対応するよう設けられており、回転中の各リールを個別に停止させるために操作される停止操作手段を構成する。各ストップスイッチ３５〜３７は、各リールが定速回転となると停止させることが可能な状態となり、かかる状態中には図示しないランプが点灯表示されることによって停止操作が可能であることが報知され、各リールの回転が停止すると消灯されるようになっている。
【００６８】
操作部３０の後方には、図７，図９に示すように、前面板部３１とほぼ同じ長さを有し上方に開口した横長状の開口部４１が形成されている。この開口部４１は、前扉体１１に受皿ブロック１０を装着した場合に上皿１５１を配するための開口領域であり，開口部４１の左右方向の幅寸法は上皿１５１の左右方向の幅寸法に概ね合致し、開口部４１の前後方向の幅寸法は上皿１５１の前後方向の幅寸法よりも若干短いものとなっている。
【００６９】
操作部３０の前面板部３１には、図７，図９に示すように、正面から見て右下部に切欠部４２が形成されている。この切欠部４２は、排出操作伝達装置（図示省略）の操作レバー１８８（図２参照）を設置するための設置スペースとなっている。
【００７０】
また、図１，図１１に示すように、受皿ブロック１０の右側上面部分には、貸球操作部５２が設けられている。貸球操作部５２は、例えば本遊技機１の側方（例えば左方）に配置された縦長のカードユニット（球貸しユニット）に紙幣やカード等を投入した状態で、球貸し操作、カード等の返却操作及び有効度数の確認を行うものであり、球貸しボタン５６と返却ボタン５７と度数表示部５８とが一体的に並設されている。この場合、球貸しボタン５６は、カード（記録媒体）等に記録された情報に基づいて貸出球を得るために操作されるものであり、カード等に残額が存在する限りにおいて貸出球が払い出される。返却ボタン５７は、カードユニットに挿入されたカード等の返却を求める際に操作される。度数表示部５８はカード等の残額情報を表示するものである。
【００７１】
さらに、サブパネル部５０は、図２に示すように、例えば２個の演出切換ボタン５９ａ，５９ｂとを備えている。例えば、遊技者が演出切換ボタン５９ａを選択すると、第１種類の演出表示などが行われ、演出切換ボタン５９ｂを選択すると、第２種類の演出表示などが行われるようになっている。
【００７２】
前扉体１１において、サブパネル部５０や貸球繰作部５２の左右の側方部には、奥側に後退するようにして弧状の凹み部６１が設けられており、その凹み部６１には、外枠２に対する遊技機本体部３の施錠及び解錠を行うための施錠装置１２０の後述する背面枠１２に設けたキーシリンダ錠１２５の前面側を露出して収納されるためのキーシリンダ設置穴６２（図９参照）が設置されている。
【００７３】
図１等で確認できるとおり左右の凹み部６１は、上皿１５１の両側で直ぐ上方に位置する。そのため、仮に遊技ホールにおいて球貸しユニットから延びる球貸しノズル（いわゆる象の鼻）を介して上皿１５１に遊技球が貸し出されるような場合にも、その球貸しノズルと前扉体１１との干渉を回避することができる。故に、遊技ホールでの設置状況を考えても有益な構成となっている。
【００７４】
更に、図１に示すように、前扉体１１において、操作部３０の下方には、凹部６１に連続するようにして膨出部７０が形成されており、その膨出部７０に囲まれるようにして下皿７１と灰皿７２が形成されている。図９に示すように、膨出部７０に囲まれた奥壁部７３には、下皿排出口７４とスピーカ穴７５とが形成されている。上皿１５１やその上流通路に遊技球が満タンに貯留されている状態であって更に払出装置（後述する図１６の払出装置６０８）から遊技球が払い出される場合、或いは、上皿１５１内に貯留されている遊技球に対して球抜き操作が行われる場合には、下皿排出口７４を介して下皿７１に遊技球が排出される。
【００７５】
図９に示すように、下皿７１の底部には開口が形成されており、その開口には開閉板７６が設けられている。また、膨出部７０の略中央部には下皿用の球抜き操作片７７が設けられている。球抜き操作片７７は、下皿７１に貯留している遊技球を下皿７１の下方に置かれた球収容箱（いわゆるドル箱）に排出するための操作片であり、図示する通常位置から左方に操作されることで開閉板７６が開位置にスライド移動し、下皿７１内の遊技球の排出が行われる。その他、膨出部７０において下皿７１の左右両側方には下皿ランプ部７８が設けられている。
【００７６】
図１０に示すように、前扉体１１の背面側の構成として、視認窓２１の左右両側には側方ランプ部２５を収容するランプ収容部９１が設けられている。
【００７７】
ここで透明パネル２２の取り付け手順を説明する。視認窓２１の下縁部にはパネル厚み分の幅でパネル受溝９３が形成されている。透明パネル２２は、前扉体１１の後方から、その下端部がパネル受溝９３に嵌め込まれるとともに、その上端部が前扉体１１の背面部に当接される。そしてその状態で、透明パネル２２の前扉体１１への取り付けが完了する。
【００７８】
（背面枠１２の説明）
図９や図１０に示すように、背面枠１２は、前扉体１１と略相似形をなす矩形状をなしており、概ね等しい細幅の左枠部１０１、右枠部１０２及び上枠部１０３と、それらよりも広幅の下枠部１０４とを有する。これら各枠部１０１〜１０４に囲まれる部位が中央開口部１０５となっており、背面枠１２の背面側には、下枠部１０４の上縁部の一部を除く範囲で中央開口部１０５を囲むようにして一定高さのリブ１０６が形成されている。また、背面枠１２において、外周縁部には前方に直角に折れ曲がった返し部１０７（図９，図１０参照）が形成されている。前扉体１１に対して背面枠１２を組み付けた際には、返し部１０７は前扉体１１の外縁部の内側に重なり、それによって前扉体１１と背面枠１２との間に空間が形成される。そしてこの空間を利用してランプ装置等が配設されるようになっている。
【００７９】
前述したように本遊技機１は、正面から見て左側に開閉軸線が設けられる構成となっており、上枠部１０３と下枠部１０４には前述のヒンジ金具８が上下２箇所に取り付けられている。
【００８０】
また、左枠部１０１には、リブ１０６の先端部から後方に延びるようにして上下一対の軸金具１１０，１１１が所定間隔を隔てて取り付けられている。この軸金具１１０，１１１は、遊技盤ブロック６や払出ブロック７を回動可能に支持するための金具部材である。軸金具１１０，１１１は共に略コ字状をなしており、軸金具１１０には上下に軸受け部１１０ａ，１１０ｂが形成され、軸金具１１１には上下に軸受け部１１１ａ，１１１ｂが形成されている。これら軸金具１１０，１１１の各軸受け部１１０ａ，１１０ｂ，１１１ａ，１１１ｂには軸孔が形成されており、軸金具１１０，１１１は全ての軸孔が何れも同一の軸線上に配置されるようリブ１０６に固定されている。
【００８１】
かかる場合、軸金具１１０の下側の軸受け部１１０ｂと軸金具１１１の上側の軸受け部１１１ａとが遊技盤ブロック６を支持するための遊技盤ブロック支持手段（図６（ａ）の支持手段Ｍ１，Ｍ２）に相当し、軸金具１１０の上側の軸受け部１１０ａと軸金具１１１の下側の軸受け部１１１ｂと払出ブロック７を支持するための払出ブロック支持手段（図６（ａ）の支持手段Ｍ３，Ｍ４）に相当する。
【００８２】
また、右枠部１０２には、図９，図１０に示すように、ドアブロック４と遊技主要ブロック５とを個別に開放不能な施錠状態で保持するための施錠装置１２０が設けられている。
【００８３】
施錠装置１２０は、図１〜図４に示すように、操作キーが挿入される鍵穴１２５ａを備え、この鍵穴１２５ａに挿入された操作キーが第１の方向（例えば時計方向）に回動操作されることで遊技機本体部３を解錠するとともに、鍵穴１２５ａに挿入された操作キーが第１の方向とは異なる第２の方向（例えば反時計方向）に回動操作されることで遊技主要ブロック５を解錠するものである。
【００８４】
下枠部１０４には、図９，図１０に示すように、前扉体１１に設けた下皿排出口７４に連通する連通口１３１が設けられるとともに、スピーカ穴７５から前方に露出するスピーカ１３２が設けられている。
【００８５】
背面枠１２の背面側には、遊技主要ブロック５の固定手段、つまり、操作キーを反時計周りに回動操作にかかわらず遊技主要ブロック５のドアブロック４への固定を維持するための後述するロック部材６２７（図３参照）が係止する鉤金具１３７が設けられている。
【００８６】
背面枠１２は、前扉体１１に対してネジ等の締結具を用いて取り付け固定される。
【００８７】
（受皿ブロック１０の説明）
次に、受皿ブロック１０について説明する。受皿ブロック１０は、図１１に示すように、順次に取打込まれる遊技球を一時的に貯留する機能を有する上皿１５１と、払出装置（後述する図１６の払出装置６０８）などから供給される遊技球を上皿１５１や下皿７１などに流通させる機能を有する球通路形成体１５２と、遊技球の取込機能を有する取込ユニット１５３（図７参照）とを備えるものである。
【００８８】
（受皿ブロック１０としての動作説明）
上記の如く構成される受皿ブロック１０において、上皿１５１に多数の遊技球が貯留されている状態では、遊技球は上皿１５１の最下流部での三列に分岐した案内通路（図示省略）で各一列に整列され、その整列状態での遊技球が取込ユニット１５３の三個の取込装置（図示省略）で並列的に取り込まれる。この取り込まれた遊技球は、所定通路で流れて外部（遊技ホールの島設備）に排出される。また、遊技球排出時（球抜き時）には、遊技球が、三個の取込装置（図示省略）の排出通路に流れて最終的に下皿７１に排出される。
【００８９】
一方、後述する図１６の払出装置６０８等から遊技球分配部材（図示省略）に遊技球が供給されると、この遊技球分配部材（図示省略）に設けられた各通路（図示省略）による振り分けによって、遊技球が上皿１５１、下皿排出通路（図示省略）、外部排出通路（図示省略）のいずれかに分配される。
【００９０】
（遊技盤ブロック６の説明）
次に、遊技盤ブロック６について図１２〜図１５を用いて説明する。図１２は遊技盤ブロック６の後方斜視図である。図１３は遊技盤ブロック６の分解斜視図である。図１４は、前面枠体５０１とリール装置５０３との斜視図である。
【００９１】
遊技盤ブロック６は、図１２，図１３に示すように、合成樹脂製の前面枠体５０１と、図柄表示装置としてのリール装置５０３と、補助演出装置としての液晶表示装置５０４と、遊技に関わる主たる各種制御を実施する主制御装置５０５と、主制御装置５０５からの指令に基づく従たる表示制御等を実施するサブ制御装置５０６とを備えている。この場合、遊技盤ブロック６は、本遊技機１の遊技内容を決定する主要部品を全て備える構成となっており、仮に遊技ホール等において機種入替を行う場合には、この遊技盤ブロック６を現機種のものから新たな機種のものに入れ替えることで機種入替を行うことができるようになっている。すなわち、遊技盤ブロック６は機種入替時などにおける交換ユニットとなっている。
【００９２】
（前面枠体５０１の説明）
図１３に示すように、前面枠体５０１は、いずれも横長の矩形状をなす上下２つの開口が設けられており、それぞれ上側表示窓５１３、下側表示窓５１４となっている。上側表示窓５１３は、液晶表示装置５０４が装着され、液晶表示装置５０４による表示画像を表示するための液晶画像表示部に相当し、下側表示窓５１４は、リール装置５０３が装着され、リール装置５０３の外周に付されたリール図柄を表示するためのリール図柄表示部に相当する。
【００９３】
図１４に示すように、前面枠体５０１は、背面視で右側に、支持金具５３３が取り付けられている。支持金具５３３には上下一対の支軸５３４ａ，５３４ｂが設けられている。支持金具５３３の支軸５３４ａ，５３４ｂは、遊技盤ブロック６をドアブロック４に回動可能に支持するための支持手段を構成するものであり、この支軸５３４ａ，５３４ｂがドアブロック４に設けられた軸金具１１０，１１１の軸受け部１１０ｂ，１１１ａの軸孔（図８等参照）に差し入れられるようになっている。なお、ドアブロック４側の軸受け部１１０ｂ，１１１ａと遊技盤ブロック６側の支軸５３４ａ，５３４ｂとが図６に示す「遊技盤ブロック６用の支持手段Ｍ１，Ｍ２」に相当する。
【００９４】
遊技盤ブロック６をドアブロック４に装着した状態を想定すると、上側表示窓５１３の周囲部分は正面視で透明パネル２２の上側部分に位置し若干下方を向くように設けられ、下側表示窓５１４の周囲部分は、正面視で同透明パネル２２の下側部分に位置し上方を向くようにして設けられることとなる。
【００９５】
（リール装置５０３の説明）
リール装置５０３は、金属製のケース部材５４０と、そのケース部材５４０に収容される左・中・右の３つのリール５４１，５４２，５４３とを具備している。ケース部材５４０は、その内部に３つのリール５４１〜５４３を回転可能に収容し、かつ、リール５４１〜５４３の一部を前方に現出させるものとなっている。ケース部材５４０において上面部の前側端部には、上方に折り曲げて形一成された支持固定部５４５が設けられ、下面部の前側端部には、下方に折り曲げて形成された支持固定部５４６が設けられている。これら支持固定部５４５，５４６は、リール装置５０３を前面枠体５０１の背面側に取り付けるための取付手段を構成するものである。
【００９６】
支持固定部５４５，５４６にはそれぞれ左右２カ所に孔部５４５ａ，５４６ａが設けられており、本リール装置５０３の前面枠体５０１への取り付け固定は、各孔部５４５ａ，５４６ａに挿通させたネジを前面枠体５０１のネジ穴にネジ止めさせることにより行われている。
【００９７】
各リール５４１〜５４３の構成について周知であり、ここでは詳細な図示を省略するが、その構成を簡単に説明する。各リール５４１〜５４３は、円筒状のかごを形成する円筒骨格部材と、その外周に巻回された帯状のベルトとを備えている。ベルトの外周面には、識別情報としての図柄が等間隔ごとに多数印刷されている（例えば２１図柄）。各リール５４１〜５４３の中央部には、駆動源としてのステッピングモータが設けられており、該ステッピングモータの駆動により各リール５４１〜５４３が個別に、すなわちそれぞれ独立して回転駆動される。リール装置５０３には、その他の構成として、各リール５４１〜５４３の回転位置を検出するためのリールインデックスセンサ（回転位置検出センサ）が設置されている。また、各リール５４１〜５４３の内周側には、蛍光ランプ等よりなるバックライト（後方発光手段）が設けられており、このバックライトにより、リール外周面に付された各図柄が後方より明るく照らされるようになっている。バックライトの発光によって、リール外周面に付された各図柄の視認性の向上や、遊技に際し補助的な演出の多様化を図ることができる。
【００９８】
（主制御装置５０５等の説明）
次に、主制御装置５０５やサブ制御装置５０６等の構成を、図１３等を用いて説明する。
【００９９】
主制御装置５０５は、ＣＰＵやメモリ等の電子部品が実装された主制御基板５６１と、この主制御基板５６１を収容するための略直方体形状のケース部材（ケース台５６２及びケースカバー５６３）と、主制御基板５６１を収容したケース部材が取り付けられる取付台５６４とから構成されている。ケース台５６２及びケースカバー５６３は透明な合成樹脂材料にて成形されており、この透明なケース台５６２及びケースカバー５６３によってその内部の主制御基板５６１が視認可能となっている。
【０１００】
なお、ケース台５６２及びケースカバー５６３には、これら各部材を連結する封印手段としての図示しない封印部（いわゆるカシメ部）が設けられている。封印部は、破壊等を伴うことでケース部材を開封可能とするものであり、開封後には破壊などがなされた部材が開封履歴として残るため、その開封履歴によって開封事実の確認が可能となっている。これにより、仮にケース部材が不正に開封された場合などにおいては、封印部の確認によって不正行為の発見が可能となっている。
【０１０１】
サブ制御装置５０６は、ＣＰＵやメモリ等の電子部品が実装されたサブ制御基板５７１と、このサブ制御基板５７１を収容するための略直方体形状のケース部材（ケース台５７２及びケースカバー５７３）とから構成されている。ケース台５７２及びケースカバー５７３は透明な合成樹脂材料にて成形されており、この透明なケース台５７２及びケースカバー５７３によってその内部のサブ制御基板５７１が視認可能となっている。
【０１０２】
液晶表示装置５０４は、液晶パネル５８１と、この液晶パネル５８１を駆動する液晶ドライバ５８２とにより構成されている。
【０１０３】
（遊技盤ブロック６として完成状態の説明）
遊技盤ブロック６の完成状態を図１２を用いて説明する。遊技盤ブロック６としては、前面枠体５０１に、その背後からリール装置５０３が取り付けられ、同じく前面枠体５０１の背後でリール装置５０３の上方に液晶表示装置５０４が取り付けられている。また、リール装置５０３の側方に主制御装置５０５が取り付けられるとともに、同リール装置５０３の上方にサブ制御装置５０６が取り付けられている。
【０１０４】
遊技盤ブロック６において、前面枠体５０１の上側表示窓５１３からは液晶パネル５８１のパネル面全体が視認できる。また，同前面枠体５０１の下側表示窓５１４からはリール装置５０３の各リール５４１〜５４３の一部が視認できる。このとき、各リール５４１〜５４３の外周に付された多数（本実施の形態では２１個）の図柄のうち、リール毎に３つずつの図柄が下側表示窓５１４を通じて視認できるようになっている。
【０１０５】
（払出ブロック７の説明）
次に、払出ブロック７について図１５，図１６を用いて説明する。図１５は払出ブロック７の斜視図、図１６は払出ブロック７の背面図である。
【０１０６】
払出ブロック７は、合成樹脂材料にて一体成形された裏カバー部材６０１と、遊技球を払い出すための払出機構６０２とが一体化されることにより構成されている。裏カバー部材６０１は、略平坦状のベース部６０３と、後方（遊技機１の後方）に突出し略直方体形状をなす保護カバー部６０４とを有する。保護カバー部６０４は左右及び上下の各面と背面とが閉鎖された形状をなし、少なくとも遊技盤ブロック６の背面側構成（主制御装置５０５とリール装置５０３とサブ制御装置５０６）を収容するのに十分な大きさを有する。なお、保護カバー部６０４の背面には、図１５，図１６に示すように、多数の通気孔が設けられている。
【０１０７】
払出機構６０２は、保護カバー部６０４を迂回するようにして裏カバー部材６０１のべース部６０３に取り付けられている。すなわち、裏カバー部材６０１の最上部には上方に開口したタンク６０５が設けられており、タンク６０５には遊技ホールの島設備から供給される遊技球が逐次補給される。タンク６０５の下方には、例えば横方向２列（２条）の球通路を有し下流側に向けて緩やかに傾斜するタンクレール６０６が連結され、タンクレール６０６の下流側には上下方向に延びるケースレール６０７が連結されている。
【０１０８】
払出装置６０８はケースレール６０７の最下流部に設けられ、受皿ブロック１０に設けた払出制御装置１５７からの制御信号により払出ソレノイド６０９が駆動されて必要個数の遊技球の払出が適宜行われる。払出装置６０８より払い出された遊技球は払出通路〈図示省略〉等を通じて上皿１５１に供給される。図示は省略するが、ケースレール６０７の上流部には、タンク６０５やタンクレール６０６から供給される遊技球の有無を検出するタンク球無しセンサが設けられている。また、払出装置６０８には、遊技球を払い出す払出ソレノイド６０９と、その払い出される遊技球数をカウントする払出カウントスイッチとが設けられている。
【０１０９】
払出機構６０２には、払出制御装置１５７から払出装置６０８への払出指令の信号を中継する払出中継基板６１１が設置されている。その他、払出機構６０２には、外部より主電源を取り込むための電源スイッチ基板（図示省略）が設置されている。
【０１１０】
払出機構６０２におけるタンクや通路部材類はいずれも導電性を有する合成樹脂材料、例えば導電性ポリカーボネート樹脂にて成形され、その一部にてアースされている。これにより、遊技球の帯電によるノイズの発生が抑制されるようになっている。
【０１１１】
裏カバー部材６０１には、図１５に示すように、背面側から見て右端部に上下一対の支軸６２１ａ，６２１ｂが設けられている。この支軸６２１ａ，６２１ｂは、払出ブロック７をドアブロック４に回動可能に支持するための支持手段を構成するものであり、この支軸６２１ａ，６２１ｂがドアブロック４に設けられた軸金具１１０，１１１の軸受け部１１０ａ，１１１ｂの軸孔（図１０等参照）に差し入れられるようになっている。なお、ドアブロック４側の軸受け部１１０ａ，１１１ｂと払出ブロック７側の支軸６２１ａ，６２１ｂとが図６に示す「払出ブロック７用の支持手段Ｍ３，Ｍ４」に相当する。
【０１１２】
また、図３に示すように、払出ブロック７の裏面視で右上隅箇所と下端中央箇所（図示省略）の箇所には、遊技主要ブロック５をドアブロック４に装着した状態で固定するための装着固定手段（ロック部材６２７）がそれぞれ設けられている。つまり、図３に示すように、遊技機本体部３が外枠２に対して片開きされた状態において、両方のロック部材６２７を解除することで、ドアブロック４の鉤金具１３７との固定が解除され、ロック部材６２７による遊技主要ブロック５のドアブロック４への固定を解除することができるので、後述するように施錠装置１２０に操作キーを挿入し、反時計周りに回動させることで、遊技主要ブロック５をドアブロック４に対して片開き状態とすることができる。つまり、予めロック部材６２７を解除し、操作キーを時計周りに回動操作して施錠装置１２０による遊技主要ブロック５のドアブロック４への施錠を解除することで、遊技主要ブロック５をドアブロック４に対して片開き状態とすることができる。
【０１１３】
なお、この片開き状態において遊技主要ブロック５を高さ方向に上げることで、遊技盤ブロック６の支軸５３４ａ，５３４ｂのドアブロック４の軸受け部１１０ｂ，１１１ａへの軸支が解除され、かつ、裏カバー部材６０１の支軸６２１ａ，６２１ｂのドアブロック４の軸受け部１１０ａ，１１１ｂへの軸支が解除され、遊技主要ブロック５がドアブロック４から取り外しできるようになっている。
【０１１４】
また、図４に示すように、遊技盤ブロック６の裏面視で左上隅と左下隅の箇所には、払出ブロック７を当該遊技盤ブロック６に装着した状態で固定するための装着固定手段（ロック部材６２５）がそれぞれ設けられている。つまり、図４に示すように、遊技主要ブロック５がドアブロック４に対して片開きされた状態において、ロック部材６２５を解除することで、払出ブロック７の鉤金具６２６との固定が解除され、払出ブロック７を遊技盤ブロック６に対して片開き状態とすることができる。
【０１１５】
なお、この片開き状態において払出ブロック７を高さ方向に上げることで、裏カバー部材６０１の支軸６２１ａ，６２１ｂのドアブロック４の軸受け部１１０ａ，１１１ｂへの軸支が解除され、払出ブロック７が遊技盤ブロック６から取り外しできるようになっている。また、払出ブロック７を遊技盤ブロック６に対して閉じた状態にしてロック部材６２５でロックする、つまりロック部材６２５を鉤金具６２６に係止させることで、払出ブロック７を遊技盤ブロック６に装着した状態で固定することができる。
【０１１６】
次に、本実施例の遊技機１のさらなる特徴部分の構成について説明する。
【０１１７】
本実施例の遊技機１は、図４を用いて前述したように、外枠２と、この外枠２の前面側で当該外枠２に対して開閉可能に支持されるドアブロック４と、このドアブロック４の裏面側に設けられて当該ドアブロック４に対して開閉可能に支持される遊技主要ブロック５とを備えている。
【０１１８】
また、遊技主要ブロック５を構成する遊技盤ブロック６は、図１２に示すように、複数の図柄（例えば、遊技者に大当たりの有無を知らせるための各種の図柄）が表示されたリール５４１〜５４３（図１４参照）を回動・停止するリール装置５０３と、このリール５４１〜５４３の回動などと連動して遊技表示演出を表示する液晶表示装置５０４とが取り付けられ、かつ、図１３に示すように、その前面側から液晶表示装置５０４の表示画面とリール装置５０３のリール５４１〜５４３の部分とが視認可能となっており、図１４に示すように、裏面視でその周縁部分のうちで少なくとも液晶表示装置５０４の周囲での所定箇所が裏面側の方に延出した延出縁６３０を備えている。
【０１１９】
具体的には、実施例１での遊技盤ブロック６の前面枠体５０１は、図１４に示すように、裏面視でその周縁部分でのほぼ全箇所に、裏面側の方に延出した延出縁６３０を備えている。この延出縁６３０は、図１４に示すように、前面枠体５０１の前面側に近い第１延出縁６３１と、この第１延出縁６３１から前面枠体５０１の裏面側に向けて一段上る上り段差延出縁６３３とを有する二段構造となっている。
【０１２０】
ドアブロック４は、図３，図４に示すように、遊技盤ブロック６を閉じた状態で当該遊技盤ブロック６の延出縁６３０を覆うリブ６５５を備えている。
【０１２１】
ドアブロック４は、図１，図２に示すように、リール装置５０３でのリール５４１〜５４３（図１４参照）が視認可能な視認窓２１を備え、かつ、遊技に関する固定情報（例えば、名称、キャラクタまたは遊技説明の少なくとも一つ）を表示するサブパネル部５０を視認窓２１の以外の箇所（具体的には、視認窓２１の下方箇所）に備えている。
【０１２２】
ここで、遊技盤ブロック６の構成について、図１７〜図２８を用いて説明する。
【０１２３】
図１７は、遊技盤ブロック６の前方斜視図である。図１８は、遊技盤ブロック６の前面側のシート体６６０などを分解した状態の斜視図である。図１９は、遊技盤ブロック６を構成する前面枠体５０１の正面図である。図２０（ａ），（ｂ）は、順に図１９での前面枠体５０１のＡ−Ａ線、Ｂ−Ｂ線断面図である。図２１は、前面枠体５０１の前面側構成品の分解斜視図である。図２２は、前面枠体５０１に演出領域用フレーム６８０を取り付ける様子を示す図およびその要部拡大図である。図２３は、前面枠体５０１の前方斜視図およびその要部拡大図である。図２４は、前面枠体５０１の前面側構成品の分解斜視図およびその要部拡大図である。図２５は、前面枠体５０１に遊技領域用フレーム６７０を取り付ける様子を示す図およびその要部拡大図である。図２６は、前面枠体５０１での遊技領域用フレーム６７０の取り付け部分の拡大図である。図２７は、シート体６６０が演出領域用フレーム６８０で前面枠体５０１に固定される様子を示す図である。図２８は、シート体６６０が遊技領域用フレーム６７０で前面枠体５０１に固定される様子を示す図である。図２９は、図１９での前面枠体５０１のＣ−Ｃ線断面図である。
【０１２４】
前述したように遊技盤ブロック６は、図１７に示すように、複数の図柄が表示されたリール５４１〜５４３を回動・停止するリール装置５０３と、表示画面に遊技演出を表示する液晶表示装置５０４と、リール装置５０３と液晶表示装置５０４とが配設される前面枠体５０１とを備えている。
【０１２５】
この前面枠体５０１は、図１９に示すように、その前面側に、リール装置５０３でのリール部分を視認させるための遊技領域Ｅ１と、液晶表示装置５０４の表示画面に表示される遊技演出を視認させるための演出領域Ｅ２とを備え、かつ、図２０に示すように、この前面枠体５０１での遊技領域Ｅ１と演出領域Ｅ２との間の位置から当該前面枠体５０１の前方に離れた一点に遊技領域Ｅ１と演出領域Ｅ２とが向くようにして、リール装置５０３と液晶表示装置５０４とを側面視で傾斜姿勢に配設している。
【０１２６】
つまり、この実施例では、図２０に示すように、前面枠体５０１での遊技領域Ｅ１は上向きで、演出領域Ｅ２はやや下向きに形成されている。
【０１２７】
また、この実施例では、前記一点は遊技者の視点よりもさらに遊技機から離れた点としているが、例えば、仮想基準遊技者の視点や平均的遊技者の視点などと一致するようにしてもよい。
【０１２８】
また、前面枠体５０１は、その前面側で、遊技領域Ｅ１および演出領域Ｅ２以外の所定領域を覆う薄板状のシート体６６０を備えている。前面枠体５０１の前面側に取り付けられる装飾部品（後述する遊技領域用フレーム６７０や演出領域用フレーム６８０）によって、シート体６６０が当該前面枠体５０１の前面側に固定されるようになっている。
【０１２９】
この実施例では、図１８，図２０に示すように、薄板状のシート体６６０を採用しているが、薄板状のカバー体やフィルム体など種々の薄板状部材を採用してもよい。
【０１３０】
遊技領域用フレーム６７０は、図１８，図２１に示すように、遊技領域Ｅ１の周囲を縁取る部品である。つまり、遊技領域用フレーム６７０は、図２５に示すように、正面視で矩形状でその中央部分が開口された枠状部品である。
【０１３１】
演出領域用フレーム６８０は、図１８，図２１に示すように、演出領域Ｅ２の周囲を縁取る部品である。つまり、演出領域用フレーム６８０は、図２２に示すように、正面視で矩形状でその中央部分が開口された枠状部品である。
【０１３２】
前面枠体５０１は、図２０（ａ）に示すように側面視した状態で、その前面側を窪んだ「くの字形状」としている。
【０１３３】
また、シート体６６０は、図１８，図２１に示すように、その裏面側で、かつ、その外縁部分の所定箇所に当り代部６６１を備えている。この実施例では、図１８，図２１に示すように、シート体６６０の裏面側で、かつ、その外縁部分である上側縁部分と両側縁部分と下側縁部分との箇所に当り代部６６１を備えている。
【０１３４】
前面枠体５０１は、図２１に示すように、その前面側で、シート体６６０の当り代部６６１に対応する箇所、つまり、第１延出縁６３１の内周面側に沿って形成されて当該当り代部６６１に当接支持する外縁支持部６９１を備えている。なお、図２１では、前面枠体５０１での外縁支持部６９１の一部を拡大して図示しているが、この図２１からもわかるように、前面枠体５０１でのシート体６６０の当り代部６６１に対応する箇所にわたって外縁支持部６９１が形成されている。
【０１３５】
前面枠体５０１は、図１７に示すように、その正面視で上から順に液晶表示装置５０４とリール装置５０３とが配設されており、遊技領域Ｅ１は、その垂線方向と、前記一点（前面枠体５０１での遊技領域Ｅ１と演出領域Ｅ２との間の位置から当該前面枠体５０１の前方に離れた一点）から見下ろした方向とが一致するように配設されている。
【０１３６】
シート体６６０は、図１８，図２１に示すように、遊技領域Ｅ１および演出領域Ｅ２に対応する箇所が除去された薄板状の部材としている。このシート体６６０は、遊技領域Ｅ１に対応する箇所が除去された遊技領域用除去箇所６６３と、演出領域Ｅ２に対応する箇所が除去された演出領域用除去箇所６６５とを備えている。
【０１３７】
このシート体６６０の前面側には、例えば、遊技機の名称やキャラクタなどの遊技に関する文字や、種々の模様や絵などのデザインが施された印刷面を有している。
【０１３８】
シート体６６０は、図１８に示すように、遊技領域用除去箇所６６３の周縁部分の所定箇所と、演出領域用除去箇所６６５の周縁部分の所定箇所とに、挟み代部６６７を備えている。
【０１３９】
前面枠体５０１は、図２７〜図２９に示すように、その前面側で、シート体６６０の挟み代部６６７に対応する箇所に形成されて当該挟み代部６６７に当接支持する周縁支持部６９３を備えている。図２９に示すように、前面枠体５０１の周縁支持部６９３と、遊技領域用フレーム６７０および演出領域用フレーム６８０とで、シート体６６０の挟み代部６６７が挟まれて支持されていることがわかる。
【０１４０】
遊技領域用フレーム６７０および演出領域用フレーム６８０は、図２７〜図２９に示すように、周縁支持部６９３とでシート体６６０の挟み代部６６７を挟むことで当該シート体６６０を固定している。
【０１４１】
さらに、シート体６６０は、図２７に示すように、演出領域用除去箇所６６５の周縁箇所の所定箇所に切欠き部６６９を備えている。演出領域用フレーム６８０は、図２７に示すように、切欠き部６６９に位置させる突起部６８３を備えている。
【０１４２】
遊技領域用フレーム６７０は、図２８に示すように、その上辺側の所定箇所に、前面枠体５０１の所定箇所に片掛けする片掛け爪部６７３を備えている。
【０１４３】
なお、上述したリール装置５０３は本発明の回動リール装置に相当し、上述した液晶表示装置５０４は本発明の画像表示装置に相当し、上述した前面枠体５０１は本発明のベース体に相当し、上述したシート体６６０は本発明のカバー部材に相当し、上述した遊技領域用フレーム６７０および演出領域用フレーム６８０は本発明の装飾部品に相当する。
【０１４４】
ここで、シート体６６０を前面枠体５０１に取り付ける手順について説明する。
【０１４５】
図２１，図２２に示すように、シート体６６０を前面枠体５０１の前面側に位置させる。具体的には、図２１に示すように、シート体６６０の裏面側で、かつ、その外縁部分の当り代部６６１を、前面枠体５０１の前面側で、かつ、その第１延出縁６３１の内周面側に沿って形成された外縁支持部６９１に当接支持させるようにして、シート体６６０シート体６６０を前面枠体５０１の前面側に位置させる。
【０１４６】
またこのとき、図２２，図２７，図２８に示すように、前面枠体５０１の周縁支持部６９３には、シート体６６０の裏面側の挟み代部６６７が当接支持されている。
【０１４７】
続いて、図２３，図２７に示すように、演出領域用フレーム６８０を、シート体６６０を挟んだ状態で前面枠体５０１の前面側に取り付けた状態とし、図２３に示すように、演出領域用フレーム６８０は、その裏面側の略四隅に形成されたネジ穴に、前面枠体５０１の裏面側の貫通穴に挿入されたネジをネジ止めすることで、前面枠体５０１に締結されるようになっている。
【０１４８】
なお、図２７に示すように、シート体６６０での演出領域用除去箇所６６５の周縁箇所の略四隅に形成された切欠き部６６９に、演出領域用フレーム６８０の突起部６８３が位置しており、このシート体６６０が下方にずれ落ちることがない。
【０１４９】
続いて、図２５に示すように、遊技領域用フレーム６７０を、シート体６６０を挟んだ状態で前面枠体５０１の前面側に取り付ける。具体的には、図２５に示すように、遊技領域用フレーム６７０は、その裏面側で上辺側の片掛け爪部６７３を、前面枠体５０１の遊技領域Ｅ１の上辺側の所定箇所に片掛けされた状態とし、図２５，図２６，図２８に示すように、遊技領域用フレーム６７０の裏面側で下辺側の角部箇所に形成されたネジ穴に、前面枠体５０１の裏面側の貫通穴に挿入されたネジをネジ止めすることで、前面枠体５０１に締結されるようになっている。
【０１５０】
こうすることで、シート体６６０が前面枠体５０１の前面側に演出領域用フレーム６８０および遊技領域用フレーム６７０によって固定される。このとき、シート体６６０は、図１７，図２０（ａ）に示すように、前面枠体５０１の前面側で窪んだ「くの字形状」に取り付けられた状態となっている。
【０１５１】
なお、上記では、演出領域用フレーム６８０の取り付け後に遊技領域用フレーム６７０を取り付けているが、その逆の順序で取り付けてもよい。また、シート体６６０の交換や機種変更などの場合には、上述の取り付け手順とは逆の手順で取り外すようにすればよい。
【０１５２】
上述したように、本実施例の遊技機１によれば、複数の図柄が表示されたリール５４１〜５４３を回動・停止するリール装置５０３と、表示画面に遊技演出を表示する液晶表示装置５０４と、リール装置５０３と液晶表示装置５０４とが配設される前面枠体５０１と、を備え、この前面枠体５０１は、その前面側に、リール装置５０３でのリール部分を視認させるための遊技領域Ｅ１と、液晶表示装置５０４の表示画面に表示される遊技演出を視認させるための演出領域Ｅ２とを備え、かつ、前面枠体５０１での遊技領域Ｅ１と演出領域Ｅ２との間の位置から当該前面枠体５０１の前方に離れた一点に遊技領域Ｅ１と演出領域Ｅ２とが向くようにリール装置５０３と液晶表示装置５０４とを側面視で傾斜姿勢に配設している。
【０１５３】
したがって、遊技領域Ｅ１と演出領域Ｅ２とが前面枠体５０１の前方の一点に向くようにリール装置５０３と液晶表示装置５０４とを前面枠体５０１に配設しているので、遊技者からは遊技領域Ｅ１と演出領域Ｅ２とが見易くなっている。つまり、従来例では、遊技領域Ｅ１と演出領域Ｅ２とが同一方向を向いており、遊技者の視線方向と各領域面（遊技領域面と演出領域面）の垂線方向とのなす角（ずれ角）が大きく、遊技者が各領域面を見た場合に、遊技領域Ｅ１と演出領域Ｅ２との少なくとも一方に対して見辛いことや違和感を受けることがあった。これに対して、本実施例では、遊技領域Ｅ１と演出領域Ｅ２とが前面枠体５０１の前方の一点に向けられているので、遊技者の視線方向と各領域面（遊技領域面と演出領域面）の垂線方向とのなす角（ずれ角）が小さいあるいは無く、遊技者が各領域面を見た場合に、遊技領域Ｅ１や演出領域Ｅ２が見易く、これらの領域に対して違和感を受けることがない。
【０１５４】
その結果、遊技領域Ｅ１および演出領域Ｅ２を見易くすることができる遊技機を提供することができる。
【０１５５】
また、前面枠体５０１は、その前面側で、遊技領域Ｅ１および演出領域Ｅ２以外の所定領域を覆う薄板状のシート体６６０を備え、前面枠体５０１の前面側に取り付けられる装飾部品によってシート体６６０が前面枠体５０１の前面側に固定されるので、シート体６６０を固定するための専用固定部品（ネジや止めピンなど）を不要とすることができ、その専用固定部品が少なくなった分だけ部品点数を少なくできる。
【０１５６】
また、前面枠体５０１は、その前面側を窪んだ「くの字形状」としているので、装飾部品によってシート体６６０を前面枠体５０１の前面側に固定することで、このシート体６６０が前面枠体５０１の「くの字面」に沿うようにして変形して固定でき、シート体６６０を予め「くの字形状」に成形加工する必要がないし、薄板状のシート体６６０を使用しているので、そのもの自体に印刷等の装飾ができ、シート体６６０を熱処理して「くの字形状」に変形加工する場合にその印刷面が変化するが、このような熱処理を行わないので印刷面の変化がおきない。
【０１５７】
また、シート体６６０の裏面側での外縁部分の所定箇所である当り代部６６１が、前面枠体５０１の前面側での外縁支持部６９１に当接して支持されるので、シート体６６０の外縁が前面枠体５０１に沈み込んだ状態とならず、好適に支持される。
【０１５８】
また、前面枠体５０１は、その正面視で上から順に液晶表示装置５０４とリール装置５０３とが配設されており、遊技領域Ｅ１は、その垂線方向と前記一点（前面枠体５０１での遊技領域Ｅ１と演出領域Ｅ２との間の位置から当該前面枠体５０１の前方に離れた一点）から見下ろした方向とが一致するように配設されているので、遊技者の見下ろす方向に遊技領域Ｅ１が配設されており、遊技者に負担にならずに遊技領域Ｅ１を見ることができる。
【０１５９】
また、シート体６６０は、遊技領域Ｅ１に対応する箇所が除去された遊技領域用除去箇所６６３と、演出領域Ｅ２に対応する箇所が除去された演出領域用除去箇所６６５とを備えた薄板状の部材であり、装飾部品は、遊技領域Ｅ１の周囲を縁取る遊技領域用フレーム６７０と、演出領域Ｅ２の周囲を縁取る演出領域用フレーム６８０とであるので、遊技領域用フレーム６７０によって遊技領域Ｅ１の周囲を縁取る装飾を実現できるとともに、シート体６６０の遊技領域Ｅ１に対応する除去箇所の周囲を遊技領域用フレーム６７０によって固定することができ、演出領域用フレーム６８０によって演出領域Ｅ２の周囲を縁取る装飾を実現できるとともに、シート体６６０の演出領域Ｅ２に対応する除去箇所の周囲を演出領域用フレーム６８０によって固定することができる。
【０１６０】
また、シート体６６０は、遊技領域Ｅ１に対応する箇所が除去された遊技領域用除去箇所６６３と、演出領域Ｅ２に対応する箇所が除去された演出領域用除去箇所６６５とを備えた薄板状の部材であり、遊技領域用除去箇所６６３の周縁部分の所定箇所と演出領域用除去箇所６６５の周縁部分の所定箇所とに挟み代部６６７を備え、前面枠体５０１は、その前面側で、シート体６６０の挟み代部６６７に対応する箇所に形成されて当該挟み代部６６７に当接支持する周縁支持部６９３を備え、遊技領域用フレーム６７０および演出領域用フレーム６８０は、周縁支持部６９３とでシート体６６０の挟み代部６６７を挟むことで当該シート体６６０を固定しているので、シート体６６０の遊技領域用除去箇所６６３や演出領域用除去箇所６６５を遊技領域用フレーム６７０および演出領域用フレーム６８０と前面枠体５０１の周縁支持部６９３とで挟んで支持することができ、シート体６６０の中央部分を前面枠体５０１の方にしっかりと固定できる。また、機種変更が生じた場合には、遊技領域用フレーム６７０および演出領域用フレーム６８０を取り外すことで、シート体６６０の挟み固定が解除されるので、シート体６６０を容易に取り外すことができるし、新たな機種用に印刷等されたシート体６６０を遊技領域用フレーム６７０および演出領域用フレーム６８０と前面枠体５０１とで挟んで支持することができ、シート体６６０を交換するだけで機種変更にも対応できる。
【０１６１】
また、シート体６６０は、演出領域用除去箇所６６５の周縁箇所の所定箇所に切欠き部６６９を備え、演出領域用フレーム６８０は、切欠き部６６９に位置させる突起部６８３を備えているので、シート体６６０の演出領域用除去箇所６６５を演出領域用フレーム６８０と前面枠体５０１の周縁支持部６９３とで挟んで支持した状態で、シート体６６０での演出領域用除去箇所６６５の周縁箇所の切欠き部６６９に、演出領域用フレーム６８０の突起部６８３が位置しており、シート体６６０の前面枠体５０１に対する取り付け位置を目的位置に規制でき、シート体６６０の前面枠体５０１への固定後もシート体６６０がずれ落ちるなどの取り付け後の位置ずれを低減できる。
【０１６２】
また、遊技領域用フレーム６７０は、その上辺側の所定箇所に、前面枠体５０１の所定箇所に片掛けする片掛け爪部６７３を備えているので、遊技領域用フレーム６７０の片掛け爪部６７３を前面枠体５０１の所定箇所に片掛けした状態とすることで、この遊技領域用フレーム６７０が前面枠体５０１の前方方向へ倒れることを低減でき、取り付け作業性を向上させることができる。
【０１６３】
この発明は、上記実施形態に限られることはなく、下記のように変形実施することができる。
【０１６４】
（１）上述した実施例では、図２０に示すように、前面枠体５０１での遊技領域Ｅ１と演出領域Ｅ２との間の位置から当該前面枠体５０１の前方に離れた一点に遊技領域Ｅ１と演出領域Ｅ２とが向くようにリール装置５０３と液晶表示装置５０４とを側面視で傾斜姿勢に配設しているが、前記一点に遊技領域Ｅ１と演出領域Ｅ２とが向くようにリール装置５０３または液晶表示装置５０４の一方を側面視で傾斜姿勢に配設するようにしてもよい。
【０１６５】
（２）上述した実施例では、前面枠体５０１は、図２０（ａ）に示すように、その前面側を窪んだ「くの字形状」としているが、その前面側を窪んだ湾曲形状としてもよい。
【０１６６】
（３）上述した実施例では、図２７に示すように、シート体６６０は、演出領域用除去箇所６６５の周縁箇所の所定箇所に切欠き部６６９を備え、演出領域用フレーム６８０は、切欠き部６６９に位置させる突起部６８３を備えているが、シート体６６０は、遊技領域用除去箇所６６３の周縁箇所の所定箇所に切欠き部６６９を備え、遊技領域用フレーム６７０は、その切欠き部６６９に位置させる突起部６８３を備えるようにしてもよい。
【０１６７】
（４）上述した実施例では、図２７に示すように、遊技領域用フレーム６７０は、その上辺側の所定箇所に、前面枠体５０１の所定箇所に片掛けする片掛け爪部６７３を備えているが、演出領域用フレーム６８０は、その上辺側の所定箇所に、前面枠体５０１の所定箇所に片掛けする片掛け爪部６７３を備えるようにしてもよい。
【０１６８】
（５）上述した実施例では、遊技球使用の回胴遊技機を例に挙げて説明してきたが、パチンコ機やスロットマシンやこれらを融合させた遊技機などに適用可能である。
【産業上の利用可能性】
【０１６９】
以上のように、この発明は、遊技球を使用するパチンコ機、メダルを使用するスロットマシン及び遊技球使用の回胴遊技機などの各種の遊技機に適している。
【符号の説明】
【０１７０】
１  …  遊技機
５０１  …  前面枠体（ベース体）
５０３  …  リール装置（回動リール装置）
５０４  …  液晶表示装置（画像表示装置）
６６０  …  シート体
６６１  …  当り代部
６６３  …  遊技領域用除去箇所
６６５  …  演出領域用除去箇所
６６７  …  挟み代部
６６９  …  切欠き部
６７０  …  遊技領域用フレーム（遊技領域用枠部品）
６７３  …  片掛け爪部
６８０  …  演出領域用フレーム（演出領域用枠部品）
６８３  …  突起部
６９１  …  外縁支持部
６９３  …  周縁支持部
Ｅ１  …  遊技領域
Ｅ２  …  演出領域
【図１】
2015083203.tif 000003
【図２】
2015083203.tif 000004
【図３】
2015083203.tif 000005
【図４】
2015083203.tif 000006
【図５】
2015083203.tif 000007
【図６】
2015083203.tif 000008
【図７】
2015083203.tif 000009
【図８】
2015083203.tif 000010
【図９】
2015083203.tif 000011
【図１０】
2015083203.tif 000012
【図１１】
2015083203.tif 000013
【図１２】
2015083203.tif 000014
【図１３】
2015083203.tif 000015
【図１４】
2015083203.tif 000016
【図１５】
2015083203.tif 000017
【図１６】
2015083203.tif 000018
【図１７】
2015083203.tif 000019
【図１８】
2015083203.tif 000020
【図１９】
2015083203.tif 000021
【図２０】
2015083203.tif 000022
【図２１】
2015083203.tif 000023
【図２２】
2015083203.tif 000024
【図２３】
2015083203.tif 000025
【図２４】
2015083203.tif 000026
【図２５】
2015083203.tif 000027
【図２６】
2015083203.tif 000028
【図２７】
2015083203.tif 000029
【図２８】
2015083203.tif 000030
【図２９】
2015083203.tif 000031